(57)【要約】      （修正有）【課題】ランプシェード裝置を提供する。【解決手段】光源の取り付けに備えていて、かつ、第１ハウジング１１と、第２ハウジング１２とを含む、第１ハウジングを第２ハウジングに接続し、第１ハウジングと、第２ハウジングとの間に滑りレールを形成され、第２ハウジングは、取付口１２３と、係止面とを含む、取付口が滑りレールに連絡し、係止面は、滑りレールが取付口の反対端に位置するベース組１０と、ベース組に接続し、係止部２１を含む、係止部が滑りレールに伸ばしていて、かつ、弾性に傾けることができ、係止部が取付口と、係止面との間に位置する弾性体２０と、光源を収容することができ、かつ、離脱自在にベース組１０に接続しており、固定部３３を有し、固定部が取付口を通過して、滑りレールにて滑り移動することができ、固定部によって、係止部を押し込んで、係止部と係止面との間に固定するランプスクリーン３０と、を備える。【選択図】図２
0003207912.tif 000002
【実用新案登録請求の範囲】
【請求項１】
ランプシェード裝置であって、
光源の取り付けに備えていて、かつ、第１ハウジングと、第２ハウジングとを含む、前記第１ハウジングを前記第２ハウジングに接続し、前記第１ハウジングと、前記第２ハウジングとの間に少なくとも一つの滑りレールを形成され、前記第２ハウジングは、少なくとも一つの取付口と、少なくとも一つの係止面とを含む、前記取付口が滑りレールに連絡し、前記係止面は、滑りレールが取付口の反対端に位置するベース組と、
前記ベース組に接続し、係止部を含む、前記係止部が前記滑りレールに伸ばしていて、かつ、弾性に傾けることができ、前記係止部が前記取付口と、前記係止面との間に位置する少なくとも一つの弾性体と、
前記光源を収容することができ、かつ、離脱自在に前記ベース組に接続しており、少なくとも一つの固定部を有し、前記固定部が前記取付口を通過して、前記滑りレールにて滑り移動することができ、前記固定部によって、前記係止部を押し込んで、前記止部と前記係止面との間に固定するランプスクリーンと、を備えることを特徴とする、ランプシェード裝置。
【請求項２】
前記第１ハウジングは、第１底部と、少なくとも一つの通り孔とを含む、前記少なくとも一つの通り孔を前記第１底部に通し、前記少なくとも一つの弾性体を前記第１ハウジングの第１底部に取り付けていて、かつ、前記係止部が前記通り孔を通して、前記滑りレールに伸ばすことを特徴とする、請求項１記載の裝置。
【請求項３】
前記第１ハウジングは、第１リングウォール部と、少なくとも一つのねじ穴とを含む、前記第１リングウォール部を前記第１底部の周縁に巡らして設け、前記第２ハウジングを収容し、前記ねじ穴が前記第１底部を貫通し、前記第２ハウジングは、第２底部と、第２リングウォール部と、少なくとも一つの案内面とを含む、前記第２リングウォール部を前記第２底部に巡らして設け、前記第１ハウジングの第１底部に向かって延在し、前記第１リングウォール部と、前記第２リングウォール部との間に距離を有しており、前記取付口を前記第２底部と、前記第２リングウォール部との間に取り付け、前記案内面と、前記係止面を前記第２リングウォール部が前記第２底部の反対端に取り付け、前記案内面が垂直に前記係止面に接続していて、かつ、前記第１底部との間に滑りレールを形成し、前記ランプスクリーンは、少なくとも一つの突き出し部を含む、前記突き出し部を垂直に前記固定部に接続していて、かつ、前記第１リングウォール部と、前記第２リングウォール部との間に伸ばしており、弾性体は、延在セクションを含む、前記延在セクションは弾性に傾けて、前記係止部に接続することができ、前記ベース組は、少なくとも一つのボルトを含む、前記ボルトを前記延在セクションが前記係止部の反対端に穿設して、前記ねじ穴に螺設することを特徴とする、請求項２記載の裝置。
【考案の詳細な説明】
【技術分野】
【０００１】
本考案はランプシェード裝置に関し、特にランプスクリーンが簡単に取り外し、取り付けられるランプシェード裝置に関する。
【背景技術】
【０００２】
中華民国実用新案特許第２４６１８７号（特許文献１）作業ランプの改良構造によれば、前記ランプシェードは、若干数の針金を囲まれて形成する中空状のフード体を有し、前記ランプシェードに上下の連結リングを設けていて、かつ、前記上部連結リングの上下にそれぞれ上下保護スクリーンを枢設され、前記上部保護スクリーンは、若干数の針金から構成し、前記針金の両端とも前記上部連結リングに枢設していて、かつ、交差状を形成され、前記下部保護スクリーンの一端を前記上部連結リングに枢設していて、他端を内向きに収束してテーパー状を形成して前記下部連結リングに固定され、前記下部連結リングに連結台を凸設し、前記連結台に通り孔を貫設し、前記ランプシェードが前記下部連結リングを介して、受け金収束部の外縁に嵌着してから、固定ボルトによって、前記連結台の前記通り孔に固定し、ナットと、固定ボルトとを締結接合することを開示されている。
【先行技術文献】
【特許文献】
【０００３】
【特許文献１】中華民国実用新案特許第２４６１８７号
【考案の概要】
【考案が解決しようとする課題】
【０００４】
公知の作業ランプは、固定ボルトと、ナットをねじ込んで、ランプシェードと、受け金とを結合または切り離すことができ、利用者がランプシェードを取り外しまたは取り付けるときは、前記固定ボルトを繰り返してねじ込む必要があり、時間が多くかかり、利便性を有しない。
【０００５】
考案人は前述した技術問題点に対する有効な解決と克服できない現状について、本考案を考案し前述問題点の解決を図る。
【０００６】
本考案で解決される技術課題は、公知の作業ランプは、固定ボルトと、ナットをねじ込んで、ランプシェードと、受け金とを結合または切り離し操作が必要であり、利用者がランプシェードを取り外しまたは取り付けるときは、前記固定ボルトを繰り返してねじ込む必要があり、時間が多くかかり、利便性を有しない。
【課題を解決するための手段】
【０００７】
本考案のランプシェード裝置は、光源の取り付けに備えていて、かつ、第１ハウジングと、第２ハウジングとを含む、第１ハウジングを第２ハウジングに接続し、第１ハウジングと、第２ハウジングとの間に少なくとも一つの滑りレールを形成され、第２ハウジングは、少なくとも一つの取付口と、少なくとも一つの係止面とを含む、取付口が滑りレールに連絡し、係止面は、滑りレールが取付口の反対端に位置するベース組と、ベース組に接続し、係止部を含む、係止部が滑りレールに伸ばしていて、かつ、弾性に傾けることができ、係止部が取付口と、係止面との間に位置する少なくとも一つの弾性体と、光源を収容することができ、かつ、離脱自在にベース組に接続しており、少なくとも一つの固定部を有し、固定部が取付口を通過して、滑りレールにて滑り移動することができ、固定部によって、係止部を押し込んで、係止部と係止面との間に固定するランプスクリーンと、を備える。
【０００８】
使用者は、ランプスクリーンと、ベース組とを結合するときに、まず、固定部を取付口から滑りレールに進入し、引き続き、固定部を滑りレールに沿って滑り移動させて、係止部を押し込み、係止部と、係止面との間に固定させ、ランプスクリーンと、ベース組とを安定に結合させる。使用者は簡単にランプスクリーンと、ベース組を切り離しまたは結合することができるため、利便性を有する。
【０００９】
その他の目的、長所および本考案の新規性は以下の詳細説明と関連図面によって、より明確することができる。
【図面の簡単な説明】
【００１０】
【図１】本考案のランプシェードによる立体外観図である。
【図２】本考案のランプシェードによる立体分解図である。
【図３】本考案のランプシェードによる断面図であり、ランプシェード裝置が回転位置にあることを示す。
【図４】本考案の図３からとった局所拡大図である。
【図５】本考案の図３の続きであり、ランプスクリーンが矢印方向に沿って、ベース組に対して回すことによって、ランプシェード裝置を回転位置から係合位置に切り替えることを示す。
【図６】本考案の図５からとった局所拡大図である。
【図７】本考案の図５からとった断面図である。
【考案を実施するための形態】
【００１１】
本考案による技術、手段ならびに効果は、好ましい実施例と図式を合わせて、以下の通り説明する。ただし、これらは説明を目的とし、本考案の請求範囲はこれらの構造に制限されない。
【実施例】
【００１２】
図１ないし図７を参照する。本考案のランプシェード裝置は、ベース組１０と、少なくとも一つの弾性体２０と、一つのランプスクリーン３０とを、を含む。弾性体２０を係るベース組１０に接続し、係るランプスクリーン３０を離脱自在に係るベース組１０に取り付けられ、係るベース組１０に光源の取り付けに備えていて、かつ、係るランプスクリーン３０に光源を収容することができる。本実施例において、係る光源は電球であり、係る弾性体２０の数は４つを実施している。
【００１３】
係るベース組１０は、第１ハウジング１１と、第２ハウジング１２と、少なくとも一つのボルト１３と、を含む、係る第１ハウジング１１を係る第２ハウジング１２に接続し、係る弾性体２０は、係る第１ハウジング１１が第２ハウジング１２の反対端に位置し、係るボルト１３を弾性体２０に穿設していて、かつ、係る第１ハウジング１１に螺設され、係る第１ハウジング１１と、係る第２ハウジング１２との間に少なくとも一つの滑りレール１０１を形成されている。
【００１４】
係る第１ハウジング１１は、第１底部１１１と、第１リングウォール部１１２と、少なくとも一つの通り孔１１３と、少なくとも一つのねじ穴１１４とを含む、係る第１リングウォール部１１２を係る第１底部１１１の周縁に巡らして設けていて、かつ、係る第２ハウジング１２を収容し、係る通り孔１１３が係る第１底部１１１を貫き、係るねじ穴１１４が第１底部１１１を貫き、係るボルト１３を係るねじ穴１１４に螺設する。本実施例において、係る第１底部１１１の断面が円形を形成し、係る通り孔１１３の数は４つ、係るねじ穴１１４の数は４つ、４つの通り孔１１３と、４つのねじ穴１１４をそれぞれ係る第１底部１１１にめぐらしており、係るボルト１３の数は４つを実施している。
【００１５】
第２ハウジング１２は、第２底部１２１と、第２リングウォール部１２２と、少なくとも一つの取付口１２３と、少なくとも一つの係止面１２４と、少なくとも一つの案内面１２５とを含む、係る第２リングウォール部１２２を係る第２底部１２１に巡らして設けていて、かつ、係る第１ハウジング１１の第１底部１１１に向かって延在し、係る第１リングウォール部１１２と、係る第２リングウォール部１２２との間に距離を有しており、係る取付口１２３を係る第２底部１２１と、係る第２リングウォール部１２２との間に設け、係る係止面１２４と、係る案内面１２５を係る第２リングウォール部１２２が第２底部１２１の反対端に取り付けられ、案内面１２５が垂直に係る係止面１２４に接続し、係る案内面１２５が取付口１２３と係止面１２４との間に位置し、係る案内面１２５と、係る第１底部１１１との間に滑りレール１０１を形成し、係る取付口１２３と、係る係止面１２４がそれぞれ滑りレール１０１の反対する両端部に位置していて、かつ、係る取付口１２３が係る滑りレール１０１に連絡されている。本実施例において、係る取付口１２３と、係る係止面１２４と、係る案内面１２５の数はそれぞれ４つを実施している。係る取付口１２３と、係る係止面１２４と、係る案内面１２５の数はそれぞれ８つが好ましいである。
【００１６】
本実施例において、係る第１ハウジング１１は連結部１１５をさらに含む、係る連結部１１５を第１底部１１１が第１リングウォール部１１２の反対側に接続し、複数の締結具をそれぞれ係る第２ハウジング１２の第１底部１２１に穿設し、係る第１ハウジング１１の第１底部１１１と、係る連結部１１５と、複数のナットをそれぞれ複数の締結具に締結していて、かつ、係る連結部１１５に係合する。
【００１７】
少なくとも一つの弾性体２０は、係止部２１と、延在セクション２２と、を含む、係る延在セクション２２が弾性に傾けて、かつ、係る係止部２１に接続され、係るボルト１３を係る延在セクション２２が係止部２１の反対端に穿設して、係るねじ穴１１４に螺設され、係る係止部２１を通り孔１１３に通して、滑りレール１０１に穿設していて、かつ、弾性に傾けることができ、係る係止部２１が取付口１２３と、係る係止面１２４との間に位置し、係る滑りレール１０１は第１セクション１０１１と、第２セクション１０１２とを有し、係る第１セクション１０１１と、係る第２セクション１０１２が互いに連絡し、係る第１セクション１０１１が係る取付口１２３と、係る係止部２１との間に位置し、係る第２セクション１０１２が係る係止面１２４と、係る係止部２１との間に位置する。本実施例において、係る弾性体２０の数は４つを実施している。
【００１８】
ランプスクリーン３０は、スクリーン体部３１と、少なくとも一つの突き出し部３２と、少なくとも一つの固定部３３とを含む、係る突き出し部３２を係るスクリーン体部３１に接続し、係る固定部３３を係る突き出し部３２が係るスクリーン体部３１の反対端に接続していて、かつ、係る固定部３３が突き出し部３２に垂直しており、係る突き出し部３２が第１リングウォール部１１２と、第２リングウォール部１２２との間に伸ばすことができ、係る固定部３３が取付口１２３を通して、係る滑りレール１０１の第１セクション１０１１にて滑り移動し、係る固定部３３が係止部２１を押し込んで、係る第２セクション１０１２に位置される。本実施例において、係る突き出し部３２と、係る固定部３３の数はそれぞれ４つを有し、係る突き出し部３２と、係る固定部３３の数はそれぞれ８つが好ましいである。
【００１９】
引き続き、図３ないし図７を参照する。係るランプスクリーン３０の突き出し部３２を第１リングウォール部１１２と、第２リングウォール部１２２との間に伸ばすことによって、係るランプシェード裝置を回転位置（図３）と、係合位置（図５）との間に切り替えることができる。係るランプシェード裝置が回転位置にあるとき、係る固定部３３が係る滑りレール１０１の第１セクション１０１１に位置し、係る固定部３３がランプスクリーン３０に追随して、係るベース組１０に対して回転しながら滑り移動することができる。係るランプシェード裝置を回転位置から係合位置に切り替わると、係るランプスクリーン３０が係るベース組１０に対して回転して、係る固定部３３が係止部２１を押し込み、係る係止部２１が弾性に傾けることができ、係る固定部３３が第１セクション１０１１より係る第２セクション１０１２に進入される。係るランプシェード裝置が係合位置に位置するとき、係る固定部３３が滑りレール１０１の第２セクション１０１２に位置して、係る係止部２１と、係止面１２４との間に固定される。
【００２０】
前述とおり、本考案のランプシェード裝置は、以下の長所を有する。
【００２１】
係るランプスクリーン３０の突き出し部３２を第１リングウォール部１１２と、第２リングウォール部１２２との間に伸ばすことによって、係るランプシェード裝置を回転位置と、係合位置との間に切り替えることができる。係るランプシェード裝置が回転位置にあるとき、係る固定部３３が係る滑りレール１０１の第１セクション１０１１に位置し、係る固定部３３がランプスクリーン３０に追随して、係るベース組１０に対して回転しながら滑り移動することができる。係るランプシェード裝置を回転位置から係合位置に切り替わると、係るランプスクリーン３０が係るベース組１０に対して回転して、係る固定部３３が係止部２１を押し込み、係る係止部２１が弾性に傾けることができ、係る固定部３３が第１セクション１０１１より係る第２セクション１０１２に進入される。係るランプシェード裝置が係合位置に位置するとき、係る固定部３３が滑りレール１０１の第２セクション１０１２に位置して、係る係止部２１と、係止面１２４との間に固定され、係るランプスクリーン３０と、係るベース組１０が安定に結合される。使用者は簡単にランプスクリーン３０をベース組１０に対して回転させ、回転位置と、係合位置との間に切り替えることができ、利便性を有する。
【００２２】
以上に説明したものは、本考案の好ましい実施例であり、本考案実施の範疇に制限を加えるものではなく、よって、本考案に基づいた数値的な変更又は等効果を有する要素の置き換え、若しくは本考案の請求の範囲による同等変更又は修整とも本考案の範疇に含まれる。
【符号の説明】
【００２３】
１０      ベース組
１０１    滑りレール
１０１１  第１セクション
１０１２  第２セクション
１１      第１ハウジング
１１１    第１底部
１１２    第１リングウォール部
１１３    通り孔
１１４    ねじ穴
１１５    連結部
１２      第２ハウジング
１２１    第２底部
１２２    第２リングウォール部
１２３    取付口
１２４    係止面
１２５    案内面
１３      ボルト
２０      弾性体
２１      係止部
２２      延在セクション
３０      ランプスクリーン
３１      スクリーン体部
３２      突き出し部
３３      固定部
【図１】
0003207912.tif 000003
【図２】
0003207912.tif 000004
【図３】
0003207912.tif 000005
【図４】
0003207912.tif 000006
【図５】
0003207912.tif 000007
【図６】
0003207912.tif 000008
【図７】
0003207912.tif 000009